(57)【要約】  【課題】紙葉類をポケットの奥に侵入させる動作を、引っかかりを感じさせることなくスムーズに行わせることができる構成のファイルを実現する。  【解決手段】表紙体１と、前記表紙体１に側辺３ａ及び底辺がそれぞれ溶着又は接着され該表紙体１との間でポケットＰを形成するポケット部材３とを有するファイルＦにおいて、前記ポケット部材３の側辺３ａが折り返され、その折り返し部３２が前記表紙体１に溶着又は接着されているとともに、他方が前記表紙体１に折り返されずに溶着又は接着されている構成を採用する。【選択図】図３
2019209636.tif 000002
【特許請求の範囲】
【請求項１】
表紙体と、前記表紙体に側辺及び底辺がそれぞれ溶着又は接着され該表紙体との間でポケットを形成するポケット部材とを有するファイルであって、
前記ポケット部材の側辺及び底辺の一方が折り返され、その折り返し部が前記表紙体に溶着又は接着されているとともに、他方が前記表紙体に折り返されずに溶着又は接着されているファイル。
【請求項２】
前記ポケット部材の側辺が前記表紙体の側辺に沿って又はその近傍に配されているとともに、前記ポケット部材の底辺が前記表表紙又は裏表紙の底辺に沿って又はその近傍に配されている請求項１記載のファイル。
【請求項３】
前記ポケット部材が側辺に折り返し部を有し該折り返し部が前記表紙体の側辺に沿って又はその近傍に溶着又は接着されているとともに、前記ポケット部材の底辺が前記表紙体の底辺に沿って又はその近傍に折り返されずに溶着又は接着されている請求項２記載のファイル。
【請求項４】
前記表紙体の一方の面と前記ポケット部材との間にポケットが形成され、前記折り返し部が前記一方の面に溶着又は接着されている請求項１、２又は３記載のファイル。
【請求項５】
前記ポケット部材の折り返し部が前記表紙体に複数箇所で溶着又は接着されている請求項１、２、３又は４記載のファイル。
【発明の詳細な説明】
【技術分野】
【０００１】
本発明は、表紙体の表表紙又は裏表紙にポケット部材を溶着又は接着し、該表紙体との間でポケットを形成したファイルに関する。
【背景技術】
【０００２】
紙の書類やノートの中紙となるルーズリーフ、樹脂製のクリヤーブックのリフィル（いわゆるクリヤーポケットやクリヤーホルダー）等の紙葉類を綴じておくことができるファイルが周知である。
【０００３】
その上で、このようなファイルの表表紙又は裏表紙の内面側又は外面側に他の紙葉類を挟持することができるよう、表表紙と裏表紙とのうちのいずれか一方又は両方にポケット部材を溶着又は接着してポケットを設けることがある（例えば、特許文献１を参照）。
【０００４】
従来のポケット部材は、例えば樹脂素材によりシート状に形成されており、このポケット部材を表表紙又は裏表紙に重ね合わせた状態で、その底辺及び側辺がそれぞれ溶着又は接着される。
【０００５】
紙葉類をポケットに対し縦方向に、ポケットの底辺に向けて挿入する操作は、紙葉類の縁又は角をポケットの側辺に沿わせるようにして行うことが多い。だが、溶着又は接着されている側辺に接近した紙葉類の縁又は角の部位が、ポケット部材と表紙体とに挟圧されて強い摩擦が生じ、挿入操作の際に紙葉類が引っかかると感じられることがある。紙葉類をポケットに対し横方向に、ポケットの側辺に向けて挿入する操作を行う場合にも、ポケットの底辺に接近した紙葉類の縁又は角の部位が引っかかる同様の問題が生じうる。
【先行技術文献】
【特許文献】
【０００６】
【特許文献１】特開２０１８−５２１０４号公報
【発明の概要】
【発明が解決しようとする課題】
【０００７】
本発明は、紙葉類をポケットの奥に侵入させる動作を、引っかかりを感じさせることなくスムーズに行わせることができる構成を実現するものである。
【課題を解決するための手段】
【０００８】
請求項１記載の発明に係るファイルは、表紙体と、前記表紙体に側辺及び底辺がそれぞれ溶着又は接着され該表紙体との間でポケットを形成するポケット部材とを有するファイルであって、前記ポケット部材の側辺及び底辺の一方が折り返され、その折り返し部が前記表紙体に溶着又は接着されているとともに、他方が前記表紙体に折り返されずに溶着又は接着されているものである。
【０００９】
請求項２記載の発明に係るファイルは、請求項１記載の構成のものにおいて、前記ポケット部材の側辺が前記表紙体の側辺に沿って又はその近傍に配されているとともに、前記ポケット部材の底辺が前記表紙体の底辺に沿って又はその近傍に配されているものである。
【００１０】
請求項３記載の発明に係るファイルは、請求項２記載の構成のものにおいて、前記ポケット部材が側辺に折り返し部を有し該折り返し部が前記表紙体の側辺に沿って又はその近傍に溶着又は接着されているとともに、前記ポケット部材の底辺が前記表紙体の底辺に沿って又はその近傍に折り返されずに溶着又は接着されているものである。
【００１１】
請求項４記載の発明に係るファイルは、請求項１、２又は３記載の構成のものにおいて、前記表紙体の一方の面と前記ポケット部材との間にポケットが形成され、前記折り返し部が前記一方の面に溶着又は接着されているものである。
【００１２】
請求項５記載の発明に係るファイルは、請求項１、２、３又は４記載の構成のものにおいて、前記ポケット部材の折り返し部が前記表紙体に複数箇所で溶着又は接着されているものである。
【００１３】
なお、本発明において、「側辺」とは、ファイルの幅方向端縁に沿って伸びる辺の少なくとも一方を示す概念である。また、「底辺」とは、ファイルの高さ方向両端縁に沿って伸びる辺のうち一方の辺を示す概念である。
【発明の効果】
【００１４】
本発明によれば、紙葉類をポケットの奥に侵入させる動作を、引っかかりを感じさせることなくスムーズに行わせることができる。
【図面の簡単な説明】
【００１５】
【図１】本発明の一実施形態に係るファイルを示す斜視図。
【図２】同実施形態に係るファイルを示す平面図。
【図３】図２におけるＡ−Ａ線に沿った断面図。
【図４】同実施形態に係るファイルを示す分解斜視図。
【図５】同実施形態に係るポケット部材を示す平面図。
【図６】同実施形態に係るポケット部材の止着態様を示す説明図。
【図７】同実施形態に係るポケット部材の止着態様を示す説明図。
【図８】同実施形態に係るファイルのポケットへの紙葉類の挿入態様を示す説明図。
【図９】同実施形態に係るファイルのポケットへの紙葉類の挿入態様を示す説明図。
【図１０】本発明の他の実施形態に係るファイルを示す断面図。
【図１１】本発明の他の実施形態に係るファイルを示す平面図。
【図１２】従来のファイルのポケットへの紙葉類の挿入態様を示す説明図。
【発明を実施するための形態】
【００１６】
以下、本発明の一実施形態について、図１〜図９を参照しつつ以下に述べる。
【００１７】
この実施形態に係るファイルＦは、図１〜図４に示すように、表表紙１１及び裏表紙１３を備える表紙体１と、この表紙体１に設けられ紙葉類を綴じておくための綴じ具２と、裏表紙１３に外側の側辺３ａ及び底辺３ｂがそれぞれ溶着され該裏表紙１３との間でポケットＰを形成するポケット部材３とを有する。
【００１８】
表紙体１は、この種のファイルに従来用いられているものと同様に、また、図１〜図４に示すように、表表紙１１、背表紙１２及び裏表紙１３を並べ連ねたものである。また、この表紙体１は、ポリプロピレン等の硬質樹脂を素材とする薄板体である。表表紙１１と背表紙１２との間、及び背表紙１２と裏表紙１３との間には、それぞれ第１のヒンジ１４が介在する。第１のヒンジ１４は、例えば、表紙高さ方向に延伸する、当該部位を表紙体１の他の部位と比較して薄肉化するような凹溝である。表表紙１１は、第１のヒンジ１４を中心として、背表紙１２及び裏表紙１３に対して表紙高さ方向に伸びる軸回りに回動することができる。この表表紙１１の回動端が該表表紙１１の外側の側辺１１ａであり、表紙高さ方向が上下方向となるように配したときの上辺及び下辺がそれぞれ該表表紙１１の頂辺１１ｃ及び底辺１１ｂである。また、裏表紙１３は、第１のヒンジ１４を中心として、背表紙１２及び表表紙１１に対して表紙高さ方向に伸びる軸回りに回動することができる。この裏表紙１３の回動端が該裏表紙１３の外側の側辺１３ａであり、表紙高さ方向が上下方向となるように配したときの上辺及び下辺がそれぞれ該裏表紙１３の頂辺１３ｃ及び底辺１３ｂである。ひいては、表表紙１１と裏表紙１３とが互いに相対的に回動し、表紙体１を開閉することが可能となっている。なお、前記第１のヒンジ１４は、表表紙１１及び裏表紙１３の内側の側辺を形成している。
【００１９】
綴じ具２も、この種のファイルに従来用いられているものと同様に、また、図１〜図４に示すように、複数本の綴じ桿２１を備え、その綴じ桿２１を予め紙葉類に穿たれた紙葉類を貫通する綴じ孔に挿通することで、複数枚の図示しない紙葉類を係留するもの、特に環状をなす綴じ桿２１が開閉動作するリング綴じ具である。綴じ具２は、表紙体１の例えば裏表紙１３の内面１３ｓ、換言すれば綴じられる紙葉類に面する側の面における基端寄りの部位、具体的には前記第１のヒンジ１４に沿った部位に設けられる。なお、表紙体１の表表紙１１と裏表紙１３とを対向させた状態すなわちこのファイルＦを閉じた状態に保持できるようにすべく、この綴じ具２の綴じ桿２１が閉じた状態で表紙体１の表表紙１１に設けた挿通孔１１ｘを通過させて係止爪１１ｙに係合させておくことができる。その上で、表表紙１１及び裏表紙１３は第２のヒンジ１５を中心にそれより外側の側辺１１ａ、１３ａ側の部位を回動させることができるようになっており、綴じ具２の綴じ桿２１が閉じたまま、すなわち綴じ具２により紙葉類を綴じたままこのファイルＦを開いて内容を視認することができるようにしてある。
【００２０】
ポケット部材３は、図５に示すような樹脂素材製のシートにより形成されているとともに、図１〜図４及び図７に示すように、その外側の側辺３ａが裏表紙１３の外側の側辺１３ａに沿って配されており、底辺３ｂが裏表紙１３の底辺１３ｂに沿って配されている。また、このポケット部材３は、裏表紙１３に重ね合わせた状態で該裏表紙１３との間でポケットＰを形成するポケット部材本体３１と、ポケット部材３の外側の側辺３ａを折り返して形成した折り返し部３２とを備えている。その上で、折り返し部３２が表紙体１、より具体的には裏表紙１３に溶着されている。一方、ポケット部材３の底辺３ｂは、表紙体１、より具体的には裏表紙１３の底辺１３ｂ近傍の部位に折り返されずに溶着されている。そして、このポケット部材３のその他の辺すなわち頂辺及び内側の側辺は裏表紙１３に溶着もその他の方法での接着もされていない開放部３ｃとなっており、この開放部３ｃから紙葉類をポケットＰ内に挿入可能になっている。なお、ポケットＰ内に収納した紙葉類を裏表紙１３との間で確実に保持できるようにすべく、底辺３ｂ及び開放部３ｃから所定距離離間した位置に、裏表紙１３側に向かう突条３ｄを形成している。
【００２１】
折り返し部３２に関してさらに詳述すると、この折り返し部３２は、図３及び図４に示すように、ポケット部材３の外側の側辺３ａから側方すなわち裏表紙１３の幅方向に延出し、裏表紙１３とポケット部材本体３１との間に配される。
【００２２】
このポケット部材３の裏表紙１３への止着の態様を以下に示すと、まず、図６に示すように、折り返し部３２が裏表紙１３に重ね合わされた状態で、折り返し端３２ａに沿った部位及び裏表紙１３の外側の側辺１３ａに沿った部位の２カ所に設定した溶着箇所Ｙでこの折り返し部３２を裏表紙１３に溶着されるようにしている。そして、図７に示すように、このポケット部材３の外側の側辺３ａとなるべき箇所でポケット部材３を折り返して裏表紙１３に重ね合わせ、底辺３ｂに沿った部位に設定した溶着箇所Ｙで裏表紙１３に溶着されるようにしている。このようにしてポケット部材３を裏表紙１３に止着（溶着）することにより、ポケット部材３と表紙体１の一方の面との間、より具体的にはポケット部材３と裏表紙１３の内面１３ｓとの間にポケットＰが形成されている。
【００２３】
なお、図１は、本実施形態のファイルＦを示す斜視図であり、図２は同平面図である。図３は、図２におけるＡ−Ａ線に沿った断面を模式的に示す模式断面図であり、綴じ具２は省略して示している。図４は、本実施形態のファイルＦの分解斜視図である。図５は、表紙体１に溶着させる前のポケット部材３を示す平面図である。図６は、ポケット部材３の折り返し部３２を表紙体１に溶着させた状態を示す図である。図７は、ポケット部材３を表紙体１に溶着させた状態を示す図である。図８は、ポケットＰに紙葉類Ｓを挿入する一態様を示す図であり、図９は、同態様においてポケットＰに紙葉類Ｓを挿入した際の図３に対応する模式断面図である。なお、図３において、表表紙１１の第２のヒンジ１５より外側の側辺１１ａ側の部位は省略して示している。また、図３及び図９において、ポケット部材３及び紙葉類Ｓの厚みは、わかりやすくするために実際よりも誇張して示している。
【００２４】
以下、ポケットＰ内に紙葉類Ｓを挿入する際の各部の作用について述べる。
【００２５】
図８に示すように、このポケットＰ内に、紙葉類Ｓの一側縁Ｓａ又は角をポケットＰの側辺すなわちポケット部材３の外側の側辺３ａに沿わせるようにしつつ紙葉類を上方から、すなわち裏表紙１３の頂辺１３ｃ側から挿入するとき、この紙葉類Ｓの一側縁Ｓａ近傍の部位は、図９に示すように、ポケット部材本体３１と折り返し部３２との間に配されることとなる。
【００２６】
ここで、図１２に示すように、従来の構成のファイルｆ０においては、紙葉類Ｓの縁Ｓａ又は角をポケットａＰの側辺に沿わせるようにしつつ紙葉類Ｓを上方からポケット部材ａ３と裏表紙ａ１３の内面ａ１３ｓとの間のポケットａＰ内に挿入するとき、以下のような理由で挿入操作の際に紙葉類Ｓが引っかかると感じられることがあった。すなわち、ポケット部材ａ３と裏表紙ａ１３との溶着部分ａＹの近傍は内周がクサビ状になっており、この領域に紙葉類Ｓが達すると紙葉類Ｓがポケット部材ａ３により裏表紙ａ１３側に強く押しつけられ、このことによりポケットａＰの側辺（ポケット部材ａ３の側辺ａ３ａ）に接近した紙葉類Ｓの縁Ｓａ又は角の部位が引っかかると感じられることがあった。なお、図１２において、ポケット部材ａ３及び紙葉類Ｓの厚みは、わかりやすくするために実際よりも誇張して示している。
【００２７】
これに対し、本実施形態のものでは、図９に示すように、紙葉類Ｓの一側縁Ｓａ又は角を沿わせるべき部位すなわちポケット部材３の外側の側辺３ａは、単にポケット部材３を形成するシート材が折り返されているのみである。従って、ポケット部材３の外側の側辺３ａ近傍では、ポケット部材本体３１と折り返し部３２とがむしろ離間する方向に弾性付勢されている。従って、ポケット部材３の外側の側辺３ａ近傍に紙葉類Ｓが侵入しても紙葉類Ｓが裏表紙１３側に向けてポケット部材３により弾性付勢されることはない。
【００２８】
以上説明したように、本実施形態によれば、ポケット部材３の外側の側辺３ａが折り返され、その折り返し部３２が表紙体１に溶着されているので、上述したように紙葉類Ｓが裏表紙１３側に向けてポケット部材３により弾性付勢されることがなく、紙葉類Ｓの縁Ｓａ又は角をポケット部材３の外側の側辺３ａに沿わせて移動させる操作をスムーズに行うことができる。しかも、ポケット部材３の底辺３ｂは裏表紙１３に折り返されずに溶着されているので、ポケット部材３の底辺３ｂ近傍における裏表紙１３との溶着部分の近傍の内周はクサビ状になっており、この部位に達した紙葉類Ｓはポケット部材３により裏表紙１３側に強く押しつけられることとなるので、紙葉類Ｓをこの部位により保持させることによりこのような紙葉類Ｓを抜けにくくすることができる。
【００２９】
さらに、ポケット部材３の外側の側辺３ａを折り返して折り返し部３２を表紙体１に溶着しているとともに、ポケット部材３の底辺３ｂは裏表紙１３に折り返されずに溶着されているので、このようなポケット部材３により形成されるポケットには紙葉類Ｓが上方から挿入されることが多いことに鑑み、挿入をスムーズに行いつつ挿入した紙葉類Ｓを抜けにくくすることができるという効果を多くの機会で得ることができる。
【００３０】
また、本実施形態では、ポケット部材３の外側の側辺３ａが裏表紙１３の外側の側辺１３ａに沿って配されているとともに、ポケット部材３の底辺３ｂが裏表紙１３の底辺１３ｂに沿って配されているので、ポケットＰに裏表紙１３の幅寸法及び高さ寸法にほぼ対応する大きさの紙葉類Ｓを保持させておくことができる。
【００３１】
加えて、本実施形態では、表紙体１の一方の面とポケット部材３との間、より具体的には裏表紙１３の内面１３ｓとポケット部材３との間にポケットＰが形成され、ポケット部材３の折り返し部３２が裏表紙１３の内面１３ｓに溶着されているので、ポケット部材３の全体が裏表紙１３の内側に配されることとなり、外観をすっきりしたものにしておくことができるとともに、紙葉類ＳをポケットＰ内に挿入する際に引っかかりにくいという効果をより好適に得ることができる。
【００３２】
そして、本実施形態では、ポケット部材３の折り返し部３２が裏表紙１３に複数箇所、より具体的には２カ所の溶着箇所Ｙで溶着されているので、折り返し部３２の幅をある程度大きくしてもポケット部材３を確実に裏表紙１３に固定させておくことができる。そして、折り返し部３２の幅をある程度以上確保することで、ポケットＰに対する紙葉類Ｓの出し入れの際に紙葉類Ｓの縁Ｓａ又は角が折り返し端３２ａにひっかからなくなる。
【００３３】
なお、本発明は上述した実施形態に限られない。
【００３４】
例えば、上述した実施形態では、ポケット部材の折り返し部を裏表紙の内面に溶着しているが、他の実施形態として、以下に述べるようなものが考えられる。この実施形態に係るファイルＦ２は、図１０に示すように、ポケット部材３の折り返し部３２と他の部位たるポケット部材本体３１とで裏表紙１３を挟むようにしている。すなわち、ポケット部材３の折り返し部３２を裏表紙１３の外面１３ｔに溶着している。なお、他の部位は、前述した実施形態におけるファイルＦにおけるものと同様の構成を有するので、同一の名称及び符号を付し、説明は省略する。
【００３５】
この実施形態では、紙葉類の一側縁又は角をポケットＰの側辺すなわちポケット部材３の外側の側辺３ａに沿わせるようにしつつ紙葉類を上方から、すなわち裏表紙１３の頂辺側から挿入するとき、紙葉類の一側縁近傍の部位はポケット部材本体３１と裏表紙１３との間に配されることとなる。この場合も、ポケット部材３の外側の側辺３ａは単にポケット部材３を形成するシート材が折り返されているのみであるので、ポケット部材３の外側の側辺３ａ近傍に紙葉類が侵入しても紙葉類が裏表紙１３側に向けてポケット部材３により弾性付勢されることはない。従って、本実施形態の構成であっても、図１〜図９を参照しつつ前述した実施形態における主要な効果を得ることができる。
【００３６】
また、上述した実施形態では、ポケット部材を表紙体に溶着しているが、他の方法、例えば接着剤をポケット部材又は表紙体に塗布した上でポケット部材と表紙体とを接着する等の方法でポケット部材を表紙体に接着してももちろんよい。
【００３７】
さらに、上述した実施形態では、ポケット部材の側辺を裏表紙の側辺に沿って配し、底辺を裏表紙の底辺に沿って配しているが、ポケット部材は裏表紙の任意の箇所に配してよい。
【００３８】
加えて、上述した実施形態では、裏表紙の内面のみにポケットを形成しているが、裏表紙の外面や表表紙のいずれかにもポケットを形成する、換言すれば裏表紙の外面、表表紙の内面及び表表紙の外面のうちのいずれか、又はこれら全部にポケット部材を溶着又は接着するようにしてもよい。もちろん、裏表紙の内面にはポケットを形成せず、裏表紙の外面、表表紙の内面及び表表紙の外面のいずれか又はこれら全部にポケットを形成するようにしてもよい。裏表紙の外面、表表紙の内面及び表表紙の外面にポケットを形成する場合であっても、ポケット部材の側辺及び底辺は任意の箇所に配してよい。
【００３９】
その上、上述した実施形態では、ポケット部材の側辺が折り返され、その折り返し部が表紙体に溶着（又は接着）されているとともに、底辺が表紙体に折り返されずに溶着（又は接着）されているが、ポケット部材の底辺が折り返され、その折り返し部が前記表紙体に溶着（又は接着）されているとともに、側辺が前記表紙体に折り返されずに溶着（又は接着）されている態様を採用してももちろんよい。また、上述した実施形態では、折り返し部における側辺に沿った部位及び折り返し端の２箇所で表紙体に溶着されているが、折り返し部を表紙体に溶着又は接着する箇所は任意に設定してよい。さらに、折り返し部を１箇所のみ（例えば折り返し端のみ）で表紙体に溶着又は接着するようにしてもよく、逆に折り返し部を３箇所以上で表紙体に溶着又は接着するようにしてもよい。
【００４０】
一方、上述した実施形態では、ポケット部材の外側の側辺が折り返され、その折り返し部が表紙体に溶着（又は接着）されているとともに、底辺が表紙体に折り返されずに溶着（又は接着）され、内側の側辺及び頂辺が開放されているが、図１１に示すファイルＦ３のように、ポケット部材３の両側辺３ａ、３ｅが折り返され、その折り返し部３２が表紙体１に接着されているとともに、底辺３ｂが表紙体１に折り返されずに溶着され、頂辺が開放部３ｃとなっている構成を採用してももちろんよい。前述したファイルＦ３では、両折り返し部３２における折り返し端３２ａ及び側辺３ａ、３ｅ近傍の部位に接着箇所ｙを設定しているが、接着箇所の位置及び個数は任意に設定してよく、また、接着の方法は任意である。ファイルＦ３のその他の部位は、前述した実施形態におけるファイルＦにおけるものと同様の構成を有するので、同一の符号を付し、説明は省略する。
【００４１】
さらに、ポケット部材の底辺及び頂辺が折り返され、その折り返し部が表紙体に溶着（又は接着）されているとともに、一方の側辺が表紙体に折り返されずに溶着（又は接着）され、他方の側辺が開放されている構成を採用してももちろんよい。
【００４２】
そして、上述した実施形態のように裏表紙に綴じ具を設けるものに限らず、背表紙に綴じ具を設ける等、綴じ具は表紙体の任意の箇所に設けてよい。また、綴じ具を有しないファイル（例えば紙葉類を綴じるための紐を挿通させるための孔のみを有するもの等）に本発明を適用してももちろんよい。
【００４３】
加えて、表紙体がファイルに綴じられる紙葉類の一方側のみに配される態様のファイル、すなわち表紙体が裏表紙のみを有するファイルに本発明を適用してももちろんよい。
【００４４】
その他、本発明の趣旨を損ねない範囲で種々に変形してよい。
【符号の説明】
【００４５】
Ｆ…ファイル
１…表紙体
１１…表表紙
１３…裏表紙
１３ａ…裏表紙の（外側の）側辺
１３ｂ…裏表紙の底辺
１３ｓ…裏表紙の内面
２…綴じ具
３…ポケット部材
３ａ…ポケット部材の（外側の）側辺
３ｂ…ポケット部材の底辺
３２…折り返し部
【図１】
2019209636.tif 000003
【図２】
2019209636.tif 000004
【図３】
2019209636.tif 000005
【図４】
2019209636.tif 000006
【図５】
2019209636.tif 000007
【図６】
2019209636.tif 000008
【図７】
2019209636.tif 000009
【図８】
2019209636.tif 000010
【図９】
2019209636.tif 000011
【図１０】
2019209636.tif 000012
【図１１】
2019209636.tif 000013
【図１２】
2019209636.tif 000014